(57)【要約】      （修正有）【課題】確実に不要な電磁波による誤作動などを防止できる光ディスク装置を提供する。【解決手段】シールド部材２９はトレイカバー２８に電気的に接合されると共に、第２の導電弾性部材はトレイカバーの表面に当接させ、第１の導電弾性部材はトレイ２２におけるトレイカバーの反対側に設けられ、トレイ２２を筐体２１に収納した際に、第１及び第２の導電弾性部材と筐体２１とが接触する構成とした。【選択図】図３
2005078771.tif 000002
【特許請求の範囲】
【請求項１】
筐体と、前記筐体内に収納され前記開口より出没自在に設けられ前記開口を塞ぐ前端部を有したトレイと、前記トレイに設けられた媒体回転駆動手段と、前記トレイに設けられ光を媒体に照射することで媒体に情報の記録もしくは情報の再生のすくなくとも一方を行う光ピックと、前記トレイの一方側に設けられ導電材料で構成されたトレイカバーと、前記トレイの前端部に設けられたシールド部材と、前記トレイの前端部に取り付けられ前記トレイの前端部と共に前記シールド部材を挟み込むベゼルと、前記ベゼルに設けられ少なくとも表面に導電性を有する第１及び第２の導電弾性部材と、前記第１の導電弾性部材と前記シールド部材間の電気的接合を行う導電結合部材とを備え、前記シールド部材は前記トレイカバーに電気的に接合されると共に、前記第２の導電弾性部材は前記トレイカバーの表面に当接させ、前記第１の導電弾性部材は前記トレイにおける前記トレイカバーの反対側に設けられ、前記トレイを前記筐体に収納した際に、前記第１及び第２の導電弾性部材と前記筐体とが接触することを特徴とする光ディスク装置。
【請求項２】
シールド部材に接触片を設けるとともにベゼルに導電板を設け、前記接触片と前記導電板を接触させ、導電結合部材を前記導電板と電気的に接触させたことを特徴とする請求項１記載の光ディスク装置。
【請求項３】
第１及び第２の導電弾性部材はそれぞれ、ベゼル側から弾性を有する弾性部材と、前記弾性部材の表面に設けられた導電部とを有することを特徴とする請求項１記載の光ディスク装置。
【請求項４】
第１及び第２の導電弾性部材の導電部は筐体側に向くように配置されていることを特徴とする請求項３記載の光ディスク装置。
【請求項５】
第１及び第２の導電弾性部材は、ベゼルの長手方向の端部に略平行に設けられ、しかも線状体であることを特徴とする請求項３記載の光ディスク装置。
【請求項６】
導電結合部材は、第１及び第２の導電弾性部材の双方に接合させたことを特徴とする請求項１記載の光ディスク装置。
【請求項７】
導電結合部材は、導電布で構成したことを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
図５は従来の光ディスク装置を示す斜視図である。
【０００３】
図５において、１は筐体で、筐体１は上部ケース１ａと下部ケース１ｂを組み合わせて構成されており、しかも筐体１は一端開口の袋形状となっている。２は筐体１に出没自在に設けられたトレイで、トレイ２には少なくとも光ディスクを回転させるスピンドルモータ３及び光ディスクに光を照射することで、データの記録か再生の少なくとも一方を行う光ピック４が設けられている。５はトレイの前端に設けられたシールド板である。
【０００４】
シールド板５はむき出しになっているが、通常はこのシールド板５を覆うように図示していないベゼルが設けられており、図５においては、このシールド板５が観測できるようにベゼルは取り外されている。また、このシールド板５には、同様に図示していない導電性のある弾性体（図示せず）が接触しており、しかも前記弾性体は、トレイ２の前面の、しかも上部ケース１ａ側に配置されており、トレイ２を収納した時にこの弾性体と上部ケース１ａが接触するように構成されていた。
【０００５】
この構成によって、トレイ２の前面から不要な電磁波が入ってきてもシールド板５によって、シールドされ、しかもシールド板５は前記弾性体を介して筐体１に接続されてシールド板５は結果的にアースに接続されることになり、確実にシールド効果を得ることができる。従って、外部からの不要輻射によって、装置の誤作動などが生じることがなく、安定した耐電磁波特性を得ることができる。
【０００６】
先行例としては、（特許文献１）がある。
【特許文献１】特開２００２−２６９９６１号公報
【発明の開示】
【発明が解決しようとする課題】
【０００７】
しかしながら前記従来の構成においても、十分に不要輻射対策が実現できていない光ディスク装置も存在していた。筐体１はそもそも金属材料で構成され、トレイ２の前面においてもシールド板５が設けられているので、不要輻射の影響は無いと考えられていたが、上記原因の一つとして、シールド板５とアースとの電気的接続が十分で無いことが判明した。すなわち、トレイ２の変形，筐体１の変形，弾性体の変形などの各部の形状歪みにより、弾性体と上部ケース１ａとの間に大きな隙間が生じ、トレイ２を筐体１の中に収納したときに弾性体と上部ケース１ａとの電気的な接続が不十分であったり、あるいは、シールド板５と弾性体との接続が部分的であるので、製造の際に確実にシールド板５と弾性体が接触していなかった。
【０００８】
本発明は、上記従来の課題を解決するもので、確実に不要な電磁波による誤作動などを防止できる光ディスク装置を提供することを目的とする。
【課題を解決するための手段】
【０００９】
本発明は、筐体と、筐体内に収納され開口より出没自在に設けられ開口を塞ぐ前端部を有したトレイと、トレイに設けられた媒体回転駆動手段と、トレイに設けられ光を媒体に
照射することで媒体に情報の記録もしくは情報の再生のすくなくとも一方を行う光ピックと、トレイの一方側に設けられ導電材料で構成されたトレイカバーと、トレイの前端部に設けられたシールド部材と、トレイの前端部に取り付けられトレイの前端部と共にシールド部材を挟み込むベゼルと、ベゼルに設けられ少なくとも表面に導電性を有する第１及び第２の導電弾性部材と、第１の導電弾性部材とシールド部材間の電気的接合を行う導電結合部材とを備え、シールド部材はトレイカバーに電気的に接合されると共に、第２の導電弾性部材はトレイカバーの表面に当接させ、第１の導電弾性部材はトレイにおけるトレイカバーの反対側に設けられ、トレイを筐体に収納した際に、第１及び第２の導電弾性部材と筐体とが接触する構成とした。
【発明の効果】
【００１０】
本発明は、確実にシールド部材と筐体との電気的接合を行うことができ、シールド部材は確実にアースに接続されることになるので、部材の歪みや製造のばらつきで多少部材間に隙間が生じても、装置の上下部において確実に筐体とシールド部材が接触するようにできるので、シールド効果の薄い装置が発生する確率を極めて小さくすることができる。
【発明を実施するための最良の形態】
【００１１】
請求項１記載の発明は、筐体と、前記筐体内に収納され前記開口より出没自在に設けられ前記開口を塞ぐ前端部を有したトレイと、前記トレイに設けられた媒体回転駆動手段と、前記トレイに設けられ光を媒体に照射することで媒体に情報の記録もしくは情報の再生のすくなくとも一方を行う光ピックと、前記トレイの一方側に設けられ導電材料で構成されたトレイカバーと、前記トレイの前端部に設けられたシールド部材と、前記トレイの前端部に取り付けられ前記トレイの前端部と共に前記シールド部材を挟み込むベゼルと、前記ベゼルに設けられ少なくとも表面に導電性を有する第１及び第２の導電弾性部材と、前記第１の導電弾性部材と前記シールド部材間の電気的接合を行う導電結合部材とを備え、前記シールド部材は前記トレイカバーに電気的に接合されると共に、前記第２の導電弾性部材は前記トレイカバーの表面に当接させ、前記第１の導電弾性部材は前記トレイにおける前記トレイカバーの反対側に設けられ、前記トレイを前記筐体に収納した際に、前記第１及び第２の導電弾性部材と前記筐体とが接触することを特徴とする光ディスク装置であり、確実にシールド部材と筐体との電気的接合を行うことができ、シールド部材は確実にアースに接続されることになるので、部材の歪みや製造のばらつきで多少部材間に隙間が生じても、装置の上下部において確実に筐体とシールド部材が接触するようにできるので、シールド効果の薄い装置が発生する確率は極めて小さくなる。
【００１２】
請求項２記載の発明は、シールド部材に接触片を設けるとともにベゼルに導電板を設け、前記接触片と前記導電板を接触させ、導電結合部材を前記導電板と電気的に接触させたことを特徴とする請求項１記載の光ディスク装置であり、部材間の配置に対して自由度を広げることができ、設計が容易になる。
【００１３】
請求項３記載の発明は、第１及び第２の導電弾性部材はそれぞれ、ベゼル側から弾性を有する弾性部材と、前記弾性部材の表面に設けられた導電部とを有することを特徴とする請求項１記載の光ディスク装置であり、多少部材間の隙間がばらついても、確実に筐体との電気的接合を実現できる。
【００１４】
請求項４記載の発明は、第１及び第２の導電弾性部材の導電部は筐体側に向くように配置されていることを特徴とする請求項３記載の光ディスク装置であり、確実に導電部を筐体に接触させることができる。
【００１５】
請求項５記載の発明は、第１及び第２の導電弾性部材は、ベゼルの長手方向の端部に略平行に設けられ、しかも線状体であることを特徴とする請求項３記載の光ディスク装置。
であり、幅広い領域で導電弾性部材と各部を接合できるので、確実に電気的な接合を行うことができる。
【００１６】
請求項６記載の発明は、導電結合部材は、第１及び第２の導電弾性部材の双方に接合させたことを特徴とする請求項１記載の光ディスク装置であり、確実にシールド部材と筐体を電気的に接合できる。
【００１７】
請求項７記載の発明は、導電結合部材は、導電布で構成したことを特徴とする請求項１記載の光ディスク装置であり、導電結合部材を自由な形で各所に取り付けることができるので、設計の自由度が向上する。
【実施例】
【００１８】
以下、本発明における光ディスク装置の実施例について説明する。
【００１９】
図１，図２はそれぞれ本発明の一実施例における光ディスク装置を示す表斜視図及び裏斜視図で、図１，図２において、２１は一端部開口の袋状の筐体で、筐体２１は上部筐体部２１ａと下部筐体部２１ｂを組み合わせて構成されている。上部筐体部２１ａと下部筐体部２１ｂとは好ましくは図示していない係止手段と螺旋２１ｃなどを用いて、互いに強固に固定されている。筐体２１の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、上部筐体部２１ａ及び下部筐体部２１ｂそれぞれ同種の材料で構成しても良いし、異種の材料で構成しても良い。また、上部筐体部２１ａ及び下部筐体部２１ｂそれぞれの主平面部の平均肉厚は０．３ｍｍ〜１．６ｍｍの間であり、この平均肉厚の比較的薄い場合には上部筐体２１ａ及び下部筐体部２１ｂは金属材料で構成され、例えば、金属板をプレス加工などによって形成される。また、平均肉厚の比較的厚い場合には上部筐体部及び下部筐体部２１ａはダイカスト（アルミ，マグネシウム合金など）で構成される。
【００２０】
２２は筐体に出没自在に設けられたトレイで、トレイ２２は樹脂性のフレームで構成され、後述する各部が取り付けられている。２３はトレイ２２に設けられたスピンドルモータ、２４は光ピックで、光ピック２４は少なくとも図示していない光源や各光学部材を搭載し、光ディスクに光を照射することで、光ディスクに情報を書き込むか或いは情報を読み出す動作の少なくとも一方を行うとともに、スピンドルモータ２３に近づいたり離れたりする様に図示していない移動手段によって、移動する。２５はトレイ２２の前端面に設けられたベゼルで、ベゼル２５はトレイ２２が筐体２１内に収納された時に、トレイ２２の出没口を塞ぐように構成されており、樹脂材料等の絶縁材料で構成されている。
【００２１】
２６，２７はトレイ２２の両端に摺動自在に取り付けられた金属製のレールで、レール２６，２７は筐体２１の内部にも摺動自在に設けられており、このレール２６，２７を設けることでトレイ２２と筐体２１は挿抜自在に互いに取り付けられている。
【００２２】
２８は光ピック２４及びスピンドルモータ２３等の部材の裏面を覆うとともにトレイ２２に設けられたトレイカバーで、トレイカバー２８は板状に構成され、アルミや鉄などの導電性材料で構成され、しかも螺子などでトレイ２２に取り付けられている。
【００２３】
また、上部筐体部２１ａにはトレイ２２を筐体２１内に完全に収納した際に、スピンドルモータ２３と対向する部分に貫通孔２１ｄが設けられている。
【００２４】
次に本実施の形態における特徴部分について説明する。
【００２５】
図３において、２９はシールド効果のある材料で構成されたシールド部材で、シールド部材２９の構成材料としては、鉄，銅，アルミなどの導電材料が一例としてあげられる。本実施の形態では、シールド部材２９は銅，銅合金，鉄，鉄合金の材料で構成した。また、シールド部材２９としては、樹脂材料中にシールド効果のある粒子を分散させたものや、樹脂板などの絶縁板（可撓性のあるもの、或いは剛性の高いもの）の表面に導電膜を形成したものなども適用できる。また、本実施の形態ではシールド部材２９としては、金属板を用いたが、金属板をメッシュ状にしたり、あるいは、複数の金属板を積層して構成しても良い。
【００２６】
シールド部材２９は略方形の板金であり、シールド部材２９の外周部には一体に取付片２９ａと取付片２９ａに設けられた貫通孔２９ｂが設けられている。なお、本実施の形態では、取付片２９ａを一体に設けることで、シールド部材２９の加工を良いとしたが、取付片２９ａを別部材として設け、導電性接合材などによってシールド部材２９に接合する形態でも良い。なお、取付片２９ａは本体部分に対して略垂直になるように立設されている。
【００２７】
また、トレイカバー２８のトレイ２２の前端面側には、取付片２９ａを収納可能な凹部２８ａが設けられており、この凹部２８ａには貫通孔２８ｂが設けられている。シールド部材２９の取付片２９ａを凹部２８ｂに収納して、トレイ２２の前端部をシールド部材２９で覆い、しかも貫通孔２８ｂ，２９ｂが略重なり合うように互いの部材を配置し、貫通孔２８ｂ，２９ｂに螺子３０を挿入し、シールド部材２９とトレイカバー２８を互いに取り付ける。この時当然のことながら、シールド部材２９の主面はトレイ２２の前端面と対向する構成となる。従って、トレイ２２の全端面からの不要輻射などの進入を防止できる。
【００２８】
なお、本実施の形態では、取付性の向上や位置決めを行いやすくするように凹部２８ａを設けたが、凹部２８ａは必須の構成要件ではない。また、本実施の形態ではシールド部材２９とトレイカバー２８は螺子３０を用いて互いに取り付けたが、半田などの導電性接着剤を用いて接合しても良い。
【００２９】
次にベゼル２５について説明する。
【００３０】
ベゼル２５は図４に示すように略方形状を構成しており、これは、筐体２２の開口を塞ぐ形状となっている。すなわち、本実施の形態では、筐体２２の一方の端部において、筐体２１巻の厚みが他の部分よりも薄くなっており、その結果開口は方形状とは多少異なっているが、電子機器などに取り付けた際に、内部が露出しないように、略方形形状となるようにベゼル２５の形状を決定している。なお、ベゼル２５は樹脂材料などの絶縁性を有する材料で構成されている。
【００３１】
ベゼル２５には、本体に対して略垂直に立設した取付部２５ａ及び取付部２５ｂが一体に設けられており、取付部２５ａにはトレイ２２に設けられた突起２２ａが挿入される貫通孔２５ｃと螺子が挿入される貫通孔２５ｄが設けられている。また、取付部２５ｂにも螺子が挿入される貫通孔２５ｅが設けられている。更に取付部２５ａ，２５ｂの間にはトレイ２２の特定部分と係止する係止部２５ｆが設けられている。更には、ベゼル２５の端部には、トレイ２２のレール２６が設けられる側面部と対向するように設けられた取付部２５ｇが設けられており、やはり、螺子が挿入される貫通孔２５ｈが設けられている。
【００３２】
ベゼル２５の長手方向であって両端部には、導電弾性部材３２，３３が対向するようにそれぞれ取り付けられている。導電弾性部材３２，３３は線状に構成されており、その構
成はベゼル２５側から少なくとも弾性，可撓性，可塑性の一つを有する弾性部材３２ａ，３３ａで構成され、この弾性部材３２ａ，３３ａとしては、例えばゴム，ウレタンなどが好適に用いられる。弾性部材３２ａ，３３ａとベゼル２５は接着剤，粘着剤，両面テープなどを用いて接合されている。また、弾性部材３２ａ，３３ａのベゼル２５と反対側の表面には導電性を有する導電部３２ｂ，３３ｂが設けられ、この導電部３２ｂ，３３ｂは金属などを有する導電シート，金属シート等が好適に用いられる。導電部３２ｂ，３３ｂと弾性部材３２ａ，３３ａはそれぞれ粘着剤や接着剤などによって接合されている。
【００３３】
３４は図示していないイジェクトスイッチに弾性を与える導電板で、導電板３４はベゼル２５の主面に取り付けられている。また、導電板３４にはトレイ２２を収納した際に下部筐体部２１ｂと接触する接触片３４ａが設けられている。
【００３４】
３５は導電板３４と導電弾性部材３２の導電部３２ｂを接続する導電結合部材で、導電結合部材は、導電布（金属繊維と絶縁繊維を編んだもの），導電性テープ，金属シート等が好適に用いられる。導電結合部材３５と導電板３４，導電部３２ｂは共に導電性接着剤などを用いて接合し、導電結合部材３５とベゼル２５は接着剤や粘着剤で接合される。
【００３５】
この様に構成されたベゼル２５はトレイ２２の前端部とともにシールド部材２９を挟むように取り付けられる。すなわち、図１に示すように取付部２５ａ，２５ｂをトレイ２２のディスク装着面側に設けられた凹部に対向させ、しかも取付部２５ａにおいては、トレイ２２に設けられた突起２２ａが挿入され、更に螺子によって取付部２５ａ，２５ｂをトレイ２２に結合させる。同様に取付部２５ｇは図示していないが、トレイ２２の側面部と対向させ、螺子を用いて取付部２５ｇとトレイ２２を結合させる。また、係止部２５ｆはレール２７が設けられているトレイ２２の側端部に係止される。この様に取付部２５ａ，２５ｂ，２５ｇや係止部２５ｆで、トレイ２２にベゼル２５は確実に結合され、しかもシールド部材２９をベゼル２５とトレイ２２の前端部間に確実に挟み込む。
【００３６】
この時、図３に示すように、シールド部材２９は切り起こし加工などによって形成された接触片２９ｃが設けられ、ベゼル２５を取り付けることによって、この接触片２９ｃはベゼル２５に取り付けられた導電板３４と接触する。
【００３７】
また、図１に示すようにトレイ２２の上面に導電弾性部材３２が位置するように構成されており、トレイ２２を筐体１に収納すると、上部筐体部２１ａの開口部端部がこの導電弾性部材３２の導電部３２ｂに押しつけられる。
【００３８】
更に、図２に示されるように、トレイカバー２８の表面に導電弾性部材３３が当接し、しかもトレイ２２を筐体１に収納すると、下部筐体部２１ｂの開口部端部がこの導電弾性部材３３の導電部３３ｂに押しつけられる。
【００３９】
この様に、シールド部材２９は接触片２９ｃを介して導電板３４と接触し、しかも導電板３４は導電結合部材３５を介して導電弾性部材３２の導電部３２ｂに接続される。従って、トレイ２２を筐体２１に収納した際に筐体２１とシールド部材２９を確実に電気的に接続することができ、シールド部材２９のシールド性を向上させることができる。なお、本実施の形態では、導電板３４を介して筐体２１とシールド部材２９の電気的接合を実現したが、接触片２９ｃの配置位置と導電結合部材３５の配置位置を考慮することで、接触片と導電結合部材３５が直接接合するように構成しても良い。
【００４０】
また、図２に示すように、シールド部材２９はトレイカバー２８に接合されており、しかも導電弾性部材の導電部３３ｂが幅広い範囲で、トレイカバー２８に接触しており、しかもトレイ２２を筐体２１内に収納した際に、確実に下部筐体部２１ｂと導電部３３ｂが
接触するので、下部筐体部２１ｂとシールド部材２９は確実に電気的に接合される。
【００４１】
本実施の形態では、導電弾性部材３２，３３を互いに略平行になるように設けたが、非平衡になるように構成しても良い。更に導電結合部材３５は導電弾性部材３２とのみ接合させたが、導電弾性部材３２，３３の双方に電気的に接合するように構成しても良い。
【００４２】
この様に、各部材を設けることでシールド部材２９と筐体２１を確実に電気的に接合できるので、多少部材間に歪みが生じたとしても、シールド効果を向上させることができ、シールド効果の薄い光ディスク装置の発生が極めて小さくなる。
【産業上の利用可能性】
【００４３】
本発明の光ディスク装置は、確実にシールド部材と筐体との電気的接合を行うことができ、シールド部材は確実にアースに接続されることになるので、部材の歪みや製造のばらつきで多少部材間に隙間が生じても、装置の上下部において確実に筐体とシールド部材が接触するようにできるので、シールド効果の薄い装置が発生する確率を極めて小さくすることができる効果を有し、パーソナルコンピュータ，ノートブック型コンピュータなどの電子機器に適応できる。
【図面の簡単な説明】
【００４４】
【図１】本発明の一実施の形態における光ディスク装置を示す表斜視図
【図２】本発明の一実施の形態における光ディスク装置を示す裏斜視図
【図３】本発明の一実施の形態における光ディスク装置を示す斜視図
【図４】本発明の一実施の形態における光ディスク装置を示す斜視図
【図５】従来の光ディスク装置を示す斜視図
【符号の説明】
【００４５】
２１    筐体
２２    トレイ
２３    スピンドルモータ
２４    光ピック
２５    ベゼル
２８    トレイカバー
２９    シールド部材
２９ａ    取付片
２９ｃ    接触片
３１    導電板
３２，３３    導電弾性部材
３２ａ，３３ａ    弾性部材
３２ｂ，３３ｂ    導電部
３４    導電板
３５    導電結合部材
【図１】
2005078771.tif 000003
【図２】
2005078771.tif 000004
【図３】
2005078771.tif 000005
【図４】
2005078771.tif 000006
【図５】
2005078771.tif 000007